(57)【要約】【課題】より多くの情報を表示して多機能表示ができるようにする。【解決手段】文字板１２の上方を指針１４が運針する指針表示部８と、この指針表示部８の上方に配置された第１液晶表示部９と、指針表示部８の下方に配置された第２液晶表示部１０とを備え、この第２液晶表示部１０に表示された情報が文字板１２および第１液晶表示部９を通してその上方から見えるように構成した。従って、指針表示部８で時刻を知ることができるほか、第１、第２液晶表示部９、１０の両方に情報を表示させて見ることができ、これにより第１液晶表示部９のみで情報を表示する場合に比べて、より多くの情報を表示することができると共に多機能表示ができる。【選択図】        図２
2004271259.tif 000002
【特許請求の範囲】
【請求項１】
文字板の上方を指針が運針する指針表示部と、この指針表示部の上方に配置されて電気光学的に情報を表示する第１液晶表示部と、前記指針表示部の下方に配置されて電気光学的に情報を表示する第２液晶表示部とを備え、
前記第２液晶表示部に表示された情報が前記指針表示部の前記文字板および前記第１液晶表示部を通して該第１液晶表示部の上方から見えることを特徴とする時計モジュール。
【請求項２】
前記第１液晶表示部の側方にこれとほぼ平面的に並んで配置されて電気光学的に情報を表示する第３液晶表示部を備えていることを特徴とする請求項１に記載の時計モジュール。
【請求項３】
文字板の上方を指針が運針する指針表示部と、
この指針表示部の上方に配置されて電気光学的に情報を表示する第１液晶表示部と、
この第１液晶表示部の側方にこれとほぼ平面的に並んで配置されて電気光学的に情報を表示する第２液晶表示部と
を備えたことを特徴とする時計モジュール。
【請求項４】
文字板の時字領域の上方を指針が運針する指針表示部と、この指針表示部の上方に配置されて電気光学的に情報を表示する液晶表示部とを備えた時計モジュールにおいて、
前記液晶表示部は、前記文字板の前記時字領域内に対応する第１表示領域と、前記時字領域外に対応する第２表示領域とを備え、前記第１、第２表示領域の表示状態が異なることを特徴とする時計モジュール。
【請求項５】
前記第１表示領域はポジティブ表示に形成され、前記第２表示領域はネガティブ表示に形成されていることを特徴とする請求項４に記載の時計モジュール。
【請求項６】
前記第１表示領域は透明な状態を呈する非表示部に形成され、前記第２表示領域はネガティブ表示とポジティブ表示とのいずれかに形成されていることを特徴とする請求項４に記載の時計モジュール。
【発明の詳細な説明】
【０００１】
【発明の属する技術分野】
この発明は、電子腕時計などの電子時計に用いられる時計モジュールに関する。
【０００２】
【従来の技術】
従来、電子腕時計には、腕時計ケースの内部に、文字板の上方を指針が運針する指針表示部と、この指針表示部の上方に配置されて電気光学的に時刻などの情報を表示する液晶表示パネルとを備えた時計モジュールを収納し、この時計モジュールの指針表示部で時刻を指示すると共に、液晶表示パネルで時刻などの情報を表示するようにしたものがある（例えば、特許文献１参照。）。
【０００３】
【特許文献１】
特開平１０−４８３６１号公報
【０００４】
【発明が解決しようとする課題】
しかしながら、この特許文献１の電子腕時計では、指針表示部で時刻を指示すると共に、液晶表示パネルで時刻などの情報を表示することはできるが、指針表示部の上方に液晶表示パネルを配置しただけであるから、液晶表示パネルで表示できる情報が限られてしまい、多くの情報を表示することが困難であるという問題がある。
また、このような電子腕時計では、指針表示部の上方に液晶表示パネルが配置されているため、この液晶表示パネルが指針表示部に対応する領域内で情報を表示すると、指針表示部の視認性が低下するという問題もある。
【０００５】
この発明の課題は、より多くの情報を表示して多機能表示ができるようにすることである。
また、この発明の他の課題は、指針表示部の上方に液晶表示部を配置しても、指針表示部の視認性の良いものを得ることである。
【０００６】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図８に示すように、文字板（１２）の上方を指針（１４）が運針する指針表示部（８）と、この指針表示部の上方に配置されて電気光学的に情報を表示する第１液晶表示部（９）と、前記指針表示部の下方に配置されて電気光学的に情報を表示する第２液晶表示部（１０、２６）とを備え、前記第２液晶表示部に表示された情報が前記指針表示部の前記文字板および前記第１液晶表示部を通して該第１液晶表示部の上方から見えることを特徴とする時計モジュールである。
【０００７】
この発明によれば、指針表示部の上方に第１液晶表示部を配置するほかに、指針表示部の下方に第２液晶表示部を配置し、この第２液晶表示部に表示された情報が指針表示部の文字板および第１液晶表示部を通して見えることにより、第１、第２液晶表示部の両方に情報を表示させて見ることができ、このため第１液晶表示部のみで情報を表示する場合に比べて、より多くの情報を表示することができると共に多機能表示ができる。
【０００８】
請求項２に記載の発明は、図９〜図１６に示すように、前記第１液晶表示部（９）の側方にこれとほぼ平面的に並んで配置されて電気光学的に情報を表示する第３液晶表示部（３０）を備えていることを特徴とする請求項１に記載の時計モジュールである。
この発明によれば、第１、第２液晶表示部の両方で情報を表示することができるほか、特に第１液晶表示部の側方に配置された第３液晶表示部によっても情報を表示することができるので、請求項１に記載の発明よりも、更に多くの情報を表示することができる。
【０００９】
請求項３に記載の発明は、図１７および図１８に示すように、文字板（１２）の上方を指針（１４）が運針する指針表示部（８）と、この指針表示部の上方に配置されて電気光学的に情報を表示する第１液晶表示部（９）と、この第１液晶表示部の側方にこれとほぼ平面的に並んで配置されて電気光学的に情報を表示する第２液晶表示部（３５）とを備えたことを特徴とする時計モジュールである。
この発明によれば、指針表示部の上方に配置された第１液晶表示部によって情報を表示することができるほか、第１液晶表示部の側方に配置された第２液晶表示部によっても情報を表示することができるので、請求項１に記載の発明と同様、第１液晶表示部のみで情報を表示する場合に比べて、より多くの情報を表示することができると共に多機能表示ができる。
【００１０】
請求項４に記載の発明は、図１９〜図２６に示すように、文字板（１２）の時字領域（４０）の上方を指針（１４）が運針する指針表示部（８）と、この指針表示部の上方に配置されて電気光学的に情報を表示する液晶表示部（第１液晶表示部９）とを備えた時計モジュールにおいて、前記液晶表示部は、前記文字板の前記時字領域内に対応する第１表示領域（４１、４５）と、前記時字領域外に対応する第２表示領域（４２、４６）とを備え、前記第１、第２表示領域の表示状態が異なることを特徴とする時計モジュールである。
この発明によれば、指針表示部の上方に配置された液晶表示部が、文字板の時字領域内に対応する第１表示領域と、時字領域外に対応する第２表示領域とを備え、これら第１、第２表示領域の表示状態が異なるので、第１表示領域の光の透過率を第２表示領域よりも高くして文字板の時字領域を明るくすることにより、指針表示部の上方に液晶表示部を配置しても、指針表示部による時刻の視認性の良いものを得ることができる。
【００１１】
請求項５に記載の発明は、図１９〜図２４に示すように、前記第１表示領域（４１）がポジティブ表示に形成され、前記第２表示領域（４２）がネガティブ表示に形成されていることを特徴とする請求項４に記載の時計モジュールである。
この発明によれば、文字板の時字領域外に対応する第２表示領域がネガティブ表示であるから、時字領域の外側は暗くなるが、時字領域内に対応する第１表示領域がポジティブ表示であるから、時字領域をその外側よりも明るくすることができ、これにより指針表示部による時刻を見やすくすることができる。
【００１２】
請求項６に記載の発明は、図２５および図２６に示すように、前記第１表示領域（４５）が透明な状態を呈する非表示部に形成され、前記第２表示領域（４６）がネガティブ表示とポジティブ表示とのいずれかに形成されていることを特徴とする請求項４に記載の時計モジュールである。
この発明よれば、文字板の時字領域外に対応する第２表示領域をネガティブ表示とポジティブ表示とのいずれかに形成して情報を表示しても、時字領域内に対応する第１表示領域が常に透明な状態を呈するので、請求項５に記載の発明よりも、時字領域を十分に明るくすることができ、このため、より一層、指針表示部による時刻を見やすくすることができる。
【００１３】
【発明の実施の形態】
［第１実施形態］
以下、図１〜図４を参照して、この発明の時計モジュールを電子腕時計に適用した第１実施形態について説明する。
図１はこの発明の電子腕時計の正面図、図２はそのＡ−Ａ矢視における拡大断面図である。この電子腕時計は、腕時計ケース１を備えている。この腕時計ケース１の上部には、図２に示すように、時計ガラス２が装着されており、腕時計ケース１の内部には、時計モジュール３が収納されている。また、この腕時計ケース１の下部には、裏蓋４が防水リング５を介して取り付けられており、腕時計ケース１の３時側および９時側の両側面には、図１に示すように、複数の押釦スイッチ６が設けられている。
【００１４】
時計モジュール３は、図２に示すように、ハウジング７を備え、このハウジング７に、指針表示部８、第１液晶表示部９、第２液晶表示部１０を設けた構造になっている。すなわち、指針表示部８は、図２に示すように、ハウジング７内に設けられたアナログムーブメント１１とハウジング７の上部に配置された文字板１２とを備え、アナログムーブメント１１の指針軸１３が文字板１２の貫通孔１２ａを通して上方に突出し、この突出した指針軸１３の上端部に時針、分針などの指針１４が取り付けられ、この指針１４が文字板１２の上方を運針することにより、時刻を指示するように構成されている。この場合、文字板１２は、透明または半透明の合成樹脂からなり、その上面外周部に時字１２ｂが等間隔でほぼ環状に設けられている。
【００１５】
第１液晶表示部９は、図２に示すように、指針表示部８の上方つまり指針１４の上方に配置されて文字板１２の上面全体に対応する第１液晶表示パネル１５を備え、この第１液晶表示パネル１５の両端部が腕時計ケース１の内面に設けられた鍔部１ａの下面に当接した状態で、ハウジング７の両側に設けられたインターコネクタ１６によって支持されるように構成されている。すなわち、この第１液晶表示パネル１５は、上下一対の透明な電極基板間に液晶を封入し、上側の電極基板の上面および下側の電極基板の下面にそれぞれ偏光板を設けた透過型の構造で、上下一対の電極基板間に選択的に電圧を印加することにより、時刻などの情報を電気光学的に表示するように構成されている。
【００１６】
この場合、第１液晶表示パネル１５のバックライト装置として、図２に示すように、ＥＬ素子（エレクトロルミネッセンス素子）１７が透明または半透明の文字板１２の下面に配置されている。このＥＬ素子１７は、平面発光型の光源であり、その中心に指針軸１３が挿入する貫通孔１７ａが設けられていると共に、第２液晶表示部１０に対応する個所にほぼ長方形状の開口部１７ｂが設けられ（図１参照）、この貫通孔１７ａおよび開口部１７ｂを除いて面発光した光が文字板１２を透過して第１液晶表示パネル１５の下面に照射されるように構成されている。また、インターコネクタ１６は、ハウジング７における文字板１２の外部両側に位置する個所に上下に貫通して配置され、その上端部が第１液晶表示パネル１５の両端部の各電極端子部に接触して導通すると共に、下端部がハウジング７の下面に設けられた回路基板１８の接続端子に押し付けられて導通し、これにより第１液晶表示パネル１５と回路基板１８とを電気的に接続するように構成されている。
【００１７】
また、第２液晶表示部１０は、図２に示すように、指針表示部８の文字板１２の下方つまり文字板１２の下面に配置されたＥＬ素子１７の下側に配置されてＥＬ素子１７の開口部１７ｂに対応する第２液晶表示パネル２０を備え、この第２液晶表示パネル２０がハウジング７内に配置された状態で、その両端部がインターコネクタ２１によって回路基板１８と電気的に接続された状態で支持されるように構成されている。この第２液晶表示パネル２０は、第１液晶表示パネル１５とほぼ同様、上下一対の透明な電極基板間に液晶を封入し、上側の電極基板の上面および下側の電極基板の下面にそれぞれ偏光板を設け、且つ下側の偏光板の下面に反射板を設けた反射型の構造で、上下一対の電極基板間に選択的に電圧を印加することにより、時刻などの情報を電気光学的に表示し、この表示された情報がＥＬ素子１７の開口部１７ｂ、文字板１２、および第１液晶表示パネル１５を通してその上方から見えるように構成されている。
【００１８】
このような電子腕時計では、図１に示すように、通常は指針表示部８が第１液晶表示パネル１５および時計ガラス２を通して腕時計ケース１の外部から見えるので、文字板１２の上方を運針する指針１４によって指示された時刻を視認することができる。この状態で、腕時計ケース１の側面に設けられた複数の押釦スイッチ６を適宜操作して、第２液晶表示部１０のみを駆動させると、図１に示すように、第２液晶表示パネル２０に時刻などの情報が表示される。このときには、第２液晶表示パネル２０が外部光によって照明されるので、この第２液晶表示パネル２０に表示された情報を、ＥＬ素子１７の開口部１７ｂ、文字板１２、第１液晶表示パネル１５、および時計ガラス２を通して、腕時計ケース１の外部から見ることができる。これにより、指針表示部８によって時刻を知ることができると共に、第２液晶表示パネル２０に表示された情報をも視認することができる。
【００１９】
また、この状態で複数の押釦スイッチ６を適宜操作して、第１液晶表示部９のみを駆動させると、ＥＬ素子１７が面発光して、図３に示すように、第１液晶表示パネル１５の全面で時刻などの情報が表示される。このときには、ＥＬ素子１７で面発光した光が文字板１２を透過して第１液晶表示パネル１５の下面に照射されるので、第１液晶表示パネル１５の全面に表示された情報を時計ガラス２を通して腕時計ケース１の外部から見ることができる。これにより、指針表示部８によって時刻を知ることができると共に、第１液晶表示パネル１５に表示された情報をも視認することができる。
【００２０】
さらに、複数の押釦スイッチ６を適宜操作して、第１、第２液晶表示部９、１０をそれぞれ駆動すると、ＥＬ素子１７が面発光して、図４に示すように、第１、第２液晶表示パネル１５、２０にそれぞれ異なる情報が適宜表示される。このときには、第１液晶表示パネル１５がＥＬ素子１７の開口部１７ｂに対応する部分を除いて情報を表示し、第２液晶表示パネル２０は第１液晶表示パネル１５と異なる情報を表示する。この状態で第１液晶表示パネル１５がＥＬ素子１７によって照明されるので、上記と同様、第１液晶表示パネル１５に表示された情報を時計ガラス２を通して腕時計ケース１の外部から見ることができる。
【００２１】
また、このときには、第２液晶表示パネル２０が外部光とＥＬ素子１７で発光した光との両方によって照明されるので、この第２液晶表示パネル２０に表示された第１液晶表示パネル１５と異なる情報をも、ＥＬ素子１７の開口部１７ｂ、文字板１２、第１液晶表示パネル１５、および時計ガラス２を通して腕時計ケース１の外部から見ることができる。これにより、指針表示部８によって時刻を知ることができると共に、第１、第２液晶表示パネル１５、２０の両方にそれぞれ表示された情報が重なり合うことがないので、第１、第２液晶表示パネル１５、２０の両方に表示された情報をも良好に視認することができる。
【００２２】
このように、この電子腕時計によれば、指針表示部８の上方に第１液晶表示部９の第１液晶表示パネル１５を配置し、且つ指針表示部８の下方に第２液晶表示部１０の第２液晶表示パネル２０を配置し、この第２液晶表示パネル２０に表示された情報がＥＬ素子１７の開口部１７ａ、文字板１２、および第１液晶表示部９の第１液晶表示パネル１５を通してその上方から見えるので、指針表示部８によって時刻を知ることができると共に、第１、第２液晶表示部９、１０の両方にそれぞれ異なる情報を表示させて見ることができ、これにより指針表示部８以外に第１液晶表示部９のみを設けた場合に比べて、第２液晶表示部１０を設けた分だけ、より多くの情報を表示することができると共に多機能表示ができる。
【００２３】
［第２実施形態］
次に、図５〜図８を参照して、この発明の時計モジュールを電子腕時計に適用した第２実施形態について説明する。なお、図１〜図４に示された第１実施形態と同一部分には同一符号を付して説明する。
この電子腕時計は、指針表示部８の文字板１２の中央部分に円形状の開口部２５を設け、この文字板１２の下側に第２液晶表示部２６を配置し、この第２液晶表示部２６の第２液晶表示パネル２７の下面にＥＬ素子１７を配置した構造で、これ以外は第１実施形態とほぼ同じ構造になっている。この場合、文字板１２は、第１実施形態と同様、透明または半透明の合成樹脂で形成されているが、この文字板１２は、全体が円板状に形成され、その中央部に円形状の開口部２５が同心円状に形成された構造になっている。
【００２４】
また、第２液晶表示部２６は、図６に示すように、指針表示部８の文字板１２の下面全体に対応して配置される第２液晶表示パネル２７を備え、この第２液晶表示パネル２７がハウジング７内に配置された状態で、その両端部がインターコネクタ２１によって回路基板１８と電気的に接続された状態で支持されるように構成されている。この第２液晶表示パネル２７は、第１液晶表示パネル１５と同様、上下一対の透明な電極基板間に液晶を封入し、上側の電極基板の上面および下側の電極基板の下面にそれぞれ偏光板を設けた透過型の構造で、上下一対の電極基板間に選択的に電圧を印加することにより、時刻などの情報を電気光学的に表示するように構成されている。
【００２５】
この場合、第２液晶表示パネル２７は、その中心部に指針軸１３が挿入する貫通孔２７ａが設けられているほか、表示領域が文字板１２の円形状の開口部２５に対応する部分に限定され、これ以外の部分が常に透明な状態を呈するように構成されている。また、ＥＬ素子１７は、第２液晶表示パネル２７とほぼ同じ大きさの円板状に形成され、その中心部分に指針軸１３が挿入する貫通孔１７ａが形成され、この状態で面発光した光が第２液晶表示パネル２７の下面に照射されると共に、この第２液晶表示パネル２７および文字板１２を透過して第１液晶表示パネル１５の下面にも照射されるように構成されている。また、第１液晶表示パネル１５は、その表示状態が、文字板１２の上面全域に対応して情報を表示する第１表示状態（図７に示す表示状態）と、文字板１２の開口部２５に対応する部分を除いてリング状に情報を表示する第２表示状態（図８に示す表示状態）とに切り替わるように構成されている。
【００２６】
このような電子腕時計では、第１実施形態と同様、文字板１２の上方を運針する指針１４によって指示された時刻を、第１液晶表示パネル１５および時計ガラス２を通して、腕時計ケース１の外部から視認することができる。この状態で、複数の押釦スイッチ６を適宜操作して、第２液晶表示部２６のみを駆動させると、ＥＬ素子１７が面発光して、図５に示すように、第２液晶表示パネル２７のみに時刻などの情報が表示される。このときには、ＥＬ素子１７によって第２液晶表示パネル２７が照明されるので、この第２液晶表示パネル２７に表示された情報を文字板１２の開口部２５、第１液晶表示パネル１５、および時計ガラス２を通して、腕時計ケース１の外部から見ることができる。これにより、指針表示部８によって時刻を知ることができると共に、第２液晶表示パネル２７に表示された情報をも視認することができる。
【００２７】
また、この状態で複数の押釦スイッチ６を適宜操作して、第１液晶表示部９のみを駆動させると、ＥＬ素子１７が面発光して、図７に示すように、第１液晶表示パネル１５に時刻などの情報が表示される。このときには、第１液晶表示パネル１５が第１表示状態となり、文字板１２の上面全域に対応して情報を表示すると共に、ＥＬ素子１７で発光した光が第２液晶表示パネル２７および文字板１２を透過して第１液晶表示パネル１５の下面に照射されるので、第１実施形態と同様、第１液晶表示パネル１５に表示された情報を、時計ガラス２を通して腕時計ケース１の外部から見ることができる。これにより、指針表示部８によって時刻を知ることができると共に、第１液晶表示パネル１５に表示された情報をも視認することができる。
【００２８】
さらに、複数の押釦スイッチ６を適宜操作して、第１、第２液晶表示部９、２６をそれぞれ駆動させると、ＥＬ素子１７が面発光して、図８に示すように、第１、第２液晶表示パネル１５、２７にそれぞれ異なる情報が適宜表示される。このときには、第１液晶表示パネル１５が第２表示状態となり、文字板１２の開口部２５に対応する部分を除いてリング状に情報を表示すると共に、第２液晶表示パネル２７が文字板１２の開口部２５に対応する部分のみに情報を表示する。また、ＥＬ素子１７で発光した光は、第２液晶表示パネル２７に照射されると共に、この第２液晶表示パネル２７および文字板１２を透過して第１液晶表示パネル１５の下面にも照射される。
【００２９】
これにより、図８に示すように、第１液晶表示パネル１５に表示された情報を時計ガラス２を通して腕時計ケース１の外部から見ることができると共に、第２液晶表示パネル２７に表示された情報を文字板１２の開口部２５、第１液晶表示パネル１５、および時計ガラス２を通して、腕時計ケース１の外部から見ることができる。この場合には、第１液晶表示パネル１５に表示された情報と第２液晶表示パネル２７に表示された情報とが重なり合うことがないので、指針表示部８によって時刻を知ることができると共に、第１、第２液晶表示パネル１５、２７にそれぞれ表示された情報をも良好に視認することができる。
【００３０】
このように、この電子腕時計においても、第１実施形態と同様、指針表示部８によって時刻を知ることができると共に、第１、第２液晶表示部９、２６の両方にそれぞれ異なる情報を表示させて見ることができるので、指針表示部８以外に第１液晶表示部９のみを設けた場合に比べて、第２液晶表示部２６を設けた分だけ、より多くの情報を表示することができ、これにより多機能表示ができる。特に、第１液晶表示パネル１５は、その表示状態が文字板１２の上面全域に対応して情報を表示する第１表示状態と、文字板１２の開口部２５を除いて情報を表示する第２表示状態とに切り替わるので、第１液晶表示部９のみを駆動すると、第１液晶表示パネル１５が文字板１２の上面全域に対応して情報を表示するが、第１、第２液晶表示部９、２６の両方を駆動したときに、第１液晶表示パネル１５が文字板１２の開口部２５を除いて情報を表示するので、第１、第２液晶表示パネル１５、２７の両方に表示された情報が重なり合わず、これらの情報を良好に見ることができる。
【００３１】
［第３実施形態］
次に、図９〜図１２を参照して、この発明の時計モジュールを電子腕時計に適用した第３実施形態について説明する。この場合には、図５〜図８に示された第２実施形態と同一部分に同一符号を付して説明する。
この電子腕時計は、時計モジュール３の６時側に第３液晶表示部３０を配置した構造で、これ以外は第２実施形態とほぼ同じ構造になっている。すなわち、この第３液晶表示部３０は、電気光学的に情報を表示する第３液晶表示パネル３１を備え、この第３液晶表示パネル３１が腕時計ケース１内におけるハウジング７の６時側に第１液晶表示パネル１５とほぼ平面的に並んで配置され、この状態で両端部がインターコネクタ３２によって回路基板１８と電気的に接続された状態で支持されるように構成されている。
【００３２】
この第３液晶表示パネル３１は、第１実施形態の第２液晶表示パネル２０と同様、上下一対の透明な電極基板間に液晶を封入し、上側の電極基板の上面および下側の電極基板の下面にそれぞれ偏光板を設け、且つ下側の偏光板の下面に反射板を設けた反射型の構造で、上下一対の電極基板間に選択的に電圧を印加することにより、電話番号などの各種の情報を表示するように構成されている。この場合、腕時計ケース１の上面には、保護ガラス３４が第３液晶表示パネル３１に対応して設けられている。これにより、第３液晶表示パネル３１は、保護ガラス３４を通して入射した外部光によって照明され、表示した情報が保護ガラス３４を通して腕時計ケース１の外部から見えるように構成されている。
【００３３】
このような電子腕時計では、第２実施形態と同様、指針表示部８によって時刻を知ることができると共に、第１、第２液晶表示部９、２６の両方にそれぞれ異なる情報を表示させることができるほか、特に第３液晶表示部３０の第３液晶表示パネル３１によっても情報を表示することができ、この第３液晶表示パネル３１に表示された情報を保護ガラス３４を通して見ることができるので、第３液晶表示部３０によって表示される情報の分だけ、第２実施形態よりも、更に多くの情報を表示することができ、このため、より一層、多機能表示ができる。
【００３４】
［第４実施形態］
次に、図１３〜図１６を参照して、この発明の時計モジュールを電子腕時計に適用した第４実施形態について説明する。この場合には、図１〜図４に示された第１実施形態および図９〜図１２に示された第３実施形態と同一部分に同一符号を付して説明する。
この電子腕時計は、時計モジュール３が第１実施形態と同様、指針表示部８および第１、第２液晶表示部９、１０を備えているほか、第３実施形態と同じ第３液晶表示部３０を備えた構造になっている。
【００３５】
この場合、第２液晶表示部１０は、第１実施形態と同様、指針表示部８の文字板１２の下方、つまりＥＬ素子１７の下側にその開口部１７ｂと対応して配置される反射型の第２液晶表示パネル２０を備え、この第２液晶表示パネル２０がハウジング７内に配置され、その両端部がインターコネクタ２１によって回路基板１８と電気的に接続された状態で支持され、この状態で時刻などの情報を電気光学的に表示し、この表示された情報がＥＬ素子１７の開口部１７ｂ、文字板１２、および第１液晶表示パネル１５を通してその上方から見えるように構成されている。
【００３６】
また、第３液晶表示部３０は、第３実施形態と同様、反射型の第３液晶表示パネル３１が腕時計ケース１内におけるハウジング７の６時側に第１液晶表示パネル１５とほぼ平面的に並んで配置され、この状態でインターコネクタ３２によって回路基板１８と電気的に接続されて支持されるように構成されている。また、腕時計ケース１の上面には、第３実施形態と同様、保護ガラス３４が第３液晶表示パネル３１に対応して設けられている。これにより、第３液晶表示パネル３１は、表示した情報が保護ガラス３４を通して腕時計ケース１の外部から見えるように構成されている。
【００３７】
このような電子腕時計では、第１実施形態と同様、指針表示部８によって時刻を知ることができると共に、第１、第２液晶表示部９、１０の両方にそれぞれ異なる情報を表示させることができるほか、第３液晶表示部３０の第３液晶表示パネル３１によっても情報を表示することができ、この第３液晶表示パネル３１に表示された情報を保護ガラス３４を通して見ることができるので、第３実施形態と同様、より多くの情報を表示することができ、第１実施形態よりも、より一層、多機能表示ができる。
【００３８】
［第５実施形態］
次に、図１７および図１８を参照して、この発明の時計モジュールを電子腕時計に適用した第５実施形態について説明する。この場合には、図１〜図４に示された第１実施形態と同一部分に同一符号を付して説明する。
この電子腕時計は、時計モジュール３の指針表示部８の上方に第１液晶表示部９を配置し、この第１液晶表示部９の６時側に第２液晶表示部３５をほぼ平面的に並べて配置した構造になっている。すなわち、指針表示部８と第１液晶表示部９とは、第１実施形態と同じ構造になっており、第２液晶表示部３５のみが第１実施形態と異なる構造になっている。
【００３９】
この第２液晶表示部３５は、第１実施形態の第２液晶表示パネル２０と同じ反射型構造の第２液晶表示パネル３６を備え、この第２液晶表示パネル３６が腕時計ケース１内におけるハウジング７の６時側に第１液晶表示パネル１５とほぼ平面的に並んで配置され、その両端部がインターコネクタ３７によって回路基板１８と電気的に接続された状態で支持され、この状態で電話番号などの各種の情報を電気光学的に表示するように構成されている。この場合、腕時計ケース１の上面には、第３実施形態と同様、保護ガラス３４が第２液晶表示パネル３６に対応して設けられている。これにより、第２液晶表示パネル３６は、保護ガラス３４を通して入射した外部光によって照明され、表示した情報が保護ガラス３４を通して腕時計ケース１の外部から見えるように構成されている。
【００４０】
このような電子腕時計によれば、第１実施形態と同様、指針表示部８の上方に第１液晶表示部９を配置したほか、第１液晶表示部９の６時側に第２液晶表示部３５を平面的に並べて配置し、この第２液晶表示部３５の第２液晶表示パネル３６に表示された情報を、保護ガラス３４を通して腕時計ケース１の外部から見えるように構成したので、指針表示部８によって時刻を知ることができると共に、第１、第２液晶表示部９、３５の両方にそれぞれ異なる情報を表示させて見ることができ、これにより第１実施形態と同様、指針表示部８以外に第１液晶表示部９のみを設けた場合に比べて、第２液晶表示部３５を設けた分だけ、より多くの情報を表示することができると共に多機能表示ができる。
【００４１】
［第６実施形態］
次に、図１９〜図２１を参照して、この発明の時計モジュールを電子腕時計に適用した第６実施形態について説明する。この場合には、図１７および図１８に示された第５実施形態と同一部分に同一符号を付して説明する。
この電子腕時計は、指針表示部８の文字板１２が後述する円形状の時字領域４０を有し、第１液晶表示部９の第１液晶表示パネル１５が、文字板１２の時字領域４０内に対応する第１表示領域４１と、文字板１２の時字領域４０外に対応する第２表示領域４２とを備え、第１、第２表示領域４１、４２の表示状態がそれぞれ異なる構造で、これ以外は第５実施形態とほぼ同じ構造になっている。この場合、文字板１２の時字領域４０は、文字板１２の上面に設けられた時字１２ｂによって囲われる領域で、この領域の上方を指針１４が運針するように構成されている。
【００４２】
また、第１液晶表示パネル１５は、第１表示領域４１がポジティブ表示に形成され、第２表示領域４２がネガティブ表示に形成されている。この場合、第１表示領域４１は、一対の透明な電極基板間に電圧が印加されないときに、光を透過する透明な状態を呈し、選択的に電圧が印加されたときに、電圧が印加された部分に対応する個所のみが光を遮断して情報を表示するするように構成されている。また、第２表示領域４２は、一対の透明な電極基板間に電圧が印加されないときに、光を遮断し、選択的に電圧が印加されたときに、電圧が印加された部分に対応する個所のみが光を透過して情報を表示するように構成されている。
【００４３】
また、第２液晶表示部３５は、第５実施形態と同様、反射型の第２液晶表示パネル３６を備え、この第２液晶表示パネル３６が腕時計ケース１内におけるハウジング７の６時側に第１液晶表示パネル１５とほぼ平面的に並んで配置され、インターコネクタ３７によって回路基板１８と電気的に接続されて支持され、この状態で電話番号などの各種の情報を表示するように構成されている。この場合にも、腕時計ケース１の上面には、保護ガラス３４が第２液晶表示パネル３６に対応して設けられている。
【００４４】
このような電子腕時計では、第５実施形態と同様、指針表示部８によって時刻を知ることができると共に、第１、第２液晶表示部９、３５の両方にそれぞれ異なる情報を表示させて見ることができるので、より多くの情報を表示することができ、これにより多機能表示ができるほか、特に文字板１２の時字領域４０の外部に対応する第２表示領域４２がネガティブ表示であるから、時字領域４０の外側が暗くても、時字領域４０に対応する第１表示領域４１がポジティブ表示であるから、時字領域４０をその外部側よりも明るくすることができ、これにより指針表示部８による時刻を見やすくすることができる。
【００４５】
［第７実施形態］
次に、図２２〜図２４を参照して、この発明の時計モジュールを電子腕時計に適用した第７実施形態について説明する。この場合には、図５〜図８に示された第２実施形態および図１９〜図２１に示された第６実施形態と同一部分に同一符号を付して説明する。
この電子腕時計は、図２３に示すように、時計モジュール３の指針表示部８の上方に第１液晶表示部９を配置し、指針表示部８の下方に第２液晶表示部２６を配置し、第１液晶表示部９の第１液晶表示パネル１５に、文字板１２の時字領域４０内に対応する第１表示領域４１と、文字板１２の時字領域４０外に対応する第２表示領域４２とを形成した構造になっている。
【００４６】
この場合にも、第１表示領域４１は、ポジティブ表示に形成され、一対の透明な電極基板間に電圧が印加されないときに、光を透過する透明な状態を呈し、選択的に電圧が印加されたときに、電圧が印加された部分に対応する個所のみが光を遮断して情報を表示するように構成されている。第２表示領域４２は、ネガティブ表示に形成され、一対の透明な電極基板間に電圧が印加されないときに、光を遮断し、選択的に電圧が印加されたときに、電圧が印加された部分に対応する個所のみが光を透過して情報を表示するように構成されている。
【００４７】
また、文字板１２は、第６実施形態と同様、透明または半透明の合成樹脂からなり、その中央部分に円形状の時字領域４０が設けられている。また、第２液晶表示部２６は、第２実施形態と同様、透過型の第２液晶表示パネル２７がハウジング７内における文字板１２の下面全体に対応して配置され、インターコネクタ２１によって回路基板１８と電気的に接続されて支持され、この状態で文字板１２の時字領域４０に対向する個所のみに情報を表示し、この表示された情報が文字板１２、第１液晶表示パネル１５の第１表示領域４１を通して上方から見えるように構成されている。
【００４８】
このような電子腕時計では、第６実施形態と同様、指針表示部８によって時刻を知ることができると共に、第１、第２液晶表示部９、２６の両方にそれぞれ異なる情報を表示して見ることができるので、より多くの情報を表示することができると共に多機能表示ができるほか、特に文字板１２の時字領域４０外に対応する第２表示領域４２がネガティブ表示であるから、時字領域４０の外側が暗くても、時字領域４０内に対応する第１表示領域４１がポジティブ表示であるから、指針表示部８の時字領域４０をその外部側よりも明るくすることができ、これにより指針表示部８による時刻を見やすくすることができると共に、第２液晶表示パネル２７に表示された情報を第１液晶表示パネル１５の第１表示領域４１を通して鮮明に見ることができる。
【００４９】
なお、上記第６、第７実施形態では、第１液晶表示パネル１５に、ポジティブ表示の第１表示領域４１を文字板１２の時字領域４０内に対応させて形成すると共に、ネガティブ表示の第２表示領域４２を文字板１２の時字領域４０外に対応させて形成したが、これに限らず、例えば図２５および図２６に示すように、文字板１２の時字領域４０内に対応する第１表示領域４５を常に透明な状態を呈する非表示部に形成し、文字板１２の時字領域４０外に対応する第２表示領域４６をネガティブ表示とポジティブ表示とのいずれかに形成した構造でも良い。
【００５０】
この場合、第１表示領域４５は、一対の電極基板の対向面に電極を形成しない構造でも良く、また上下の各偏光板のうち、少なくとも一方を設けない構造でも良い。このような構造にすれば、文字板１２の時字領域４０の外部に対応する第２表示領域４６をネガティブ表示とポジティブ表示とのいずれかに形成して情報を表示しても、時字領域４０に対応する第１表示領域４５が常に透明な状態を呈するので、第６実施形態のものよりも、更に時字領域４０を明るくすることができ、より一層、指針表示部８による時刻を見やすくすることができる。
【００５１】
また、上記第１〜第７実施形態およびその変形例では、電子腕時計に適用した場合について述べたが、これに限らず、例えば、トラベルウォッチ、目覚まし時計、置き時計、掛け時計などの電子時計の時計モジュールに広く適用することができる。
【００５２】
【発明の効果】
以上説明したように、請求項１に記載の発明によれば、文字板の上方を指針が運針する指針表示部と、この指針表示部の上方に配置されて電気光学的に情報を表示する第１液晶表示部と、指針表示部の下方に配置されて電気光学的に情報を表示する第２液晶表示部とを備え、この第２液晶表示部に表示された情報が指針表示部の文字板および第１液晶表示部を通してその上方から見えるようにしたので、第１、第２液晶表示部の両方に情報を表示させて見ることができ、これにより第１液晶表示部のみで情報を表示する場合に比べて、より多くの情報を表示することができると共に多機能表示ができる。
【００５３】
この場合、第１液晶表示部の側方にほぼ平面的に並んで配置されて電気光学的に情報を表示する第３液晶表示部を備えていることにより、第１、第２液晶表示部の両方で情報を表示することができるほか、第１液晶表示部の側方に配置された第３液晶表示部によっても情報を表示することができるので、請求項１に記載の発明よりも、更に多くの情報を表示することができる。
【００５４】
また、請求項３に記載の発明によれば、文字板の上方を指針が運針する指針表示部と、この指針表示部の上方に配置されて電気光学的に情報を表示する第１液晶表示部と、この第１液晶表示部の側方にほぼ平面的に並んで配置されて電気光学的に情報を表示する第２液晶表示部とを備えていることにより、指針表示部の上方に配置された第１液晶表示部によって情報を表示することができるほか、第１液晶表示部の側方に配置された第２液晶表示部によっても情報を表示することができるので、請求項１に記載の発明と同様、第１液晶表示部のみで情報を表示する場合に比べて、より多くの情報を表示することができると共に多機能表示ができる。
【００５５】
さらに、請求項４に記載の発明によれば、文字板の時字領域の上方を指針が運針する指針表示部と、この指針表示部の上方に配置されて電気光学的に情報を表示する液晶表示部とを備えた時計モジュールにおいて、液晶表示部が、文字板の時字領域内に対応する第１表示領域と、文字板の時字領域外に対応する第２表示領域とを備え、これら第１、第２表示領域の表示状態が異なる構造であることにより、第１表示領域の光の透過率を第２表示領域よりも高くして文字板の時字領域内を明るくすることができ、これにより指針表示部の上方に液晶表示部を配置しても、指針表示部による時刻の視認性の良いものを得ることができる。
【００５６】
この場合、第１表示領域がポジティブ表示に形成され、第２表示領域がネガティブ表示に形成されていることにより、ネガティブ表示である第２表示領域によって時字領域の外側が暗くても、ポジティブ表示である第１表示領域に対応する時字領域内をその外部側よりも明るくすることができ、これにより指針表示部による時刻を見やすくすることができる。また、第１表示領域が透明な状態を呈する非表示部に形成され、第２表示領域がネガティブ表示とポジティブ表示とのいずれかに形成されていることにより、第２表示領域で情報を表示しても、文字板の時字領域内に対応する第１表示領域が透明な状態を呈するので、時字領域を十分に明るくすることができ、より一層、指針表示部による時刻を見やすくすることができる。
【図面の簡単な説明】
【図１】この発明を電子腕時計に適用した第１実施形態を示した正面図。
【図２】図１のＡ−Ａ矢視における拡大断面図。
【図３】図１において第１液晶表示部のみで情報を表示した状態の正面図。
【図４】図１において第１、第２液晶表示部の両方で情報を表示した状態の正面図。
【図５】この発明を電子腕時計に適用した第２実施形態を示した正面図。
【図６】図５のＢ−Ｂ矢視における拡大断面図。
【図７】図５において第１液晶表示部のみで情報を表示した状態の正面図。
【図８】図５において第１、第２液晶表示部の両方で情報を表示した状態の正面図。
【図９】この発明を電子腕時計に適用した第３実施形態を示した正面図。
【図１０】図９のＣ−Ｃ矢視における拡大断面図。
【図１１】図９において第１、第３液晶表示部で情報を表示した状態の正面図。
【図１２】図９において第１〜第３液晶表示部の全てで情報を表示した状態の正面図。
【図１３】この発明を電子腕時計に適用した第４実施形態を示した正面図。
【図１４】図１３のＤ−Ｄ矢視における拡大断面図。
【図１５】図１３において第１、第３液晶表示部で情報を表示した状態の正面図。
【図１６】図１３において第１〜第３液晶表示部の全てで情報を表示した状態の正面図。
【図１７】この発明を電子腕時計に適用した第５実施形態を示した正面図。
【図１８】図１７のＥ−Ｅ矢視における拡大断面図。
【図１９】この発明を電子腕時計に適用した第６実施形態を示した正面図。
【図２０】図１９のＦ−Ｆ矢視における拡大断面図。
【図２１】図２０の第１液晶表示パネルの第１、第２表示領域を示した平面図。
【図２２】この発明を電子腕時計に適用した第７実施形態を示した正面図。
【図２３】図２２のＧ−Ｇ矢視における拡大断面図。
【図２４】図２３の第１液晶表示パネルの第１、第２表示領域を示した平面図。
【図２５】図１９および図２２の電子腕時計の変形例を示した正面図。
【図２６】図２５の第１液晶表示パネルの第１、第２表示領域を示した平面図。
【符号の説明】
１  腕時計ケース
２  時計ガラス
３  時計モジュール
８  指針表示部
９  第１液晶表示部
１０、２６、３５  第２液晶表示部
１２  文字板
１４  指針
１５  第１液晶表示パネル
１７  ＥＬ素子
２０、２７、３６  第２液晶表示パネル
３０  第３液晶表示部
３１  第３液晶表示パネル
４０  時字領域
４１、４５  第１表示領域
４２、４６  第２表示領域
【図１】
2004271259.tif 000003
【図２】
2004271259.tif 000004
【図３】
2004271259.tif 000005
【図４】
2004271259.tif 000006
【図５】
2004271259.tif 000007
【図６】
2004271259.tif 000008
【図７】
2004271259.tif 000009
【図８】
2004271259.tif 000010
【図９】
2004271259.tif 000011
【図１０】
2004271259.tif 000012
【図１１】
2004271259.tif 000013
【図１２】
2004271259.tif 000014
【図１３】
2004271259.tif 000015
【図１４】
2004271259.tif 000016
【図１５】
2004271259.tif 000017
【図１６】
2004271259.tif 000018
【図１７】
2004271259.tif 000019
【図１８】
2004271259.tif 000020
【図１９】
2004271259.tif 000021
【図２０】
2004271259.tif 000022
【図２１】
2004271259.tif 000023
【図２２】
2004271259.tif 000024
【図２３】
2004271259.tif 000025
【図２４】
2004271259.tif 000026
【図２５】
2004271259.tif 000027
【図２６】
2004271259.tif 000028